(57)【要約】【課題】  この種の通知器は、誘導チャイム等のように、チャイム音、鳥の鳴き声と言った抽象的な音で、その意味を理解していないと音で位置を把握することは困難であった。また、設置箇所も限定されており、建物の内部では音の反響などで設置しずらいという課題があった。【解決手段】    本考案は上記課題を解決するために、宅内、施設内の主要箇所に、赤外線センサーと微小電力無線の送受信機を収納したセンサー部を設置し、視覚障害者が設置したセンサー部の前を通過するとセンサー部は視覚障害者が携行する本体部と通信を行った後、位置コードを送信する。視覚障害者が携行する本体部でデータを受信し、位置コードに合わせた音声内容を本体部から出力し、視覚障害者の位置情報が本人に適時伝わるようにするとともに、誘導チャイムのような音の垂れ流しによる建物内部での音の反響を防止できようになり、従来の問題を解決させるものである。【選択図】  図１
0003106873.tif 000002
【実用新案登録請求の範囲】
【請求項１】
本考案は、人体感知用の赤外線センサーと、微小電力無線の送受信機を収納したセンサー部と、視覚障害者が携行する微小電力無線の送受信機と音声ガイダンスを組み込んだ本体部で構成され、センサー部は宅内、施設内の主要箇所に設置し、設置箇所毎に設定コードを変え、本体部が受信した設置個所の設定コード毎に音声ガイダンスを変えて、視覚障害者に現在の位置を知らせるようにした位置情報通知器。
【考案の詳細な説明】
【考案の詳細な説明】
【技術分野】
【０００１】  本考案は、宅内や施設内における視覚障害者の位置情報通知に関する。
【背景技術】
【０００２】  従来、宅内では、視覚障害者の位置情報を補助する機器はなく、また、施設内では、誘導チャイム等の固定式の単一の音声ガイダンスが、一定時間毎に音の垂れ流し状態で流れるだけであった。
【考案が解決しようとする課題】
【０００３】  しかしながら、上記従来の誘導チャイム等の音声ガイダンスは、チャイム音、鳥の鳴き声と言った抽象的な音で、その意味を理解していないと、音で位置を把握することは困難であった。また、設置箇所も限定されており、建物の内部では音の反響などで設置しずらいという問題があった。
【課題を解決するための手段】
【０００４】  本考案は、宅内、施設内の主要箇所に、赤外線センサーと微小電力無線の送受信機を収納したセンサー部を設置し、視覚障害者が設置したセンサー部の前を通過するとセンサー部と本体部とでデータ通信を行った後、センサー部は位置コードを送信する。視覚障害者が携行する本体部でデータを受信し、位置コードに合わせた音声ガイダンスの内容を本体部から音声出力し、視覚障害者の位置情報が本人に適時、適音量で伝わるようにするとともに、誘導チャイムのような音の垂れ流しによる建物内部での音の反響を防止できようになり、従来の問題を解決させるものである。
【考案を実施するための最良の形態】
【０００５】  人体感知用の赤外線センサーと、設定式の位置コード等、本体部との通信ができる微小電力無線の送受信機とでセンサー部を構成する。また、視覚障害者が携行する本体部は、センサー部と通信ができる微小電力無線の送受信機と、受信した位置コードから音声ガイダンスを選択して音を出す音声出力機とで構成する。設置されたセンサー部の赤外線センサーで対象人物を検知し、本体部との通信後、位置コードを微小電力無線で送信する。視覚障害者が携行する本体部の送受信機で位置コードを受信し、位置コードに合わせた音声ガイダンスの内容を本体部のスピーカ、またはイヤホンから出力させるものである。
【実施例】
【０００６】  図１は本考案の実施例である位置情報通知器の概略外観を示すものである。図１において、１は赤外線センサーで感知すると微小電力無線で位置コード等を送受信する送受信機を一体化したセンサー部、２はセンサー部の電源、３はセンサー部の感知範囲、４はセンサー部から位置コードを飛ばす微小電力無線、５はセンサー部と通信をし、微小電力無線で送られた位置コードを受信し、その位置コードに合わせた音声ガイダンスをスピーカから出力する本体部、６は視覚障害のある対象者である。【０００７】  図２は本考案の実施例である位置情報通知器の構成概略ブロック図を示すものである。図２において１１は赤外線センサー、１２は赤外線センサー感知回路、１３は位置コード設定スイッチ、１４はセンサーの感知判定と位置コード送出回路（ＣＰＵ回路）、１５は小電力無線の送受信機、１６は微小電力無線の送受信機、１７は位置コード判定と音声ガイダンス選択回路（ＣＰＵ回路）、１８はディジタル音声データのアナログ変換回路、１９は音声増幅回路、２０はスピーカ、２１は本体部の電源である【０００８】  次に上記実施例の動作について説明する。図１において実施例のセンサー部１を宅内、または施設内の主な部屋、建築設備、危険な箇所に、赤外線センサー１１の感知範囲３を人が立ち入る方向に向けて、位置コード設定スイッチ１３を本体部５に登録されている音声内容と対応した設定にした上で、商用電源のコンセント付近の壁にセンサー部用電源２と共に取り付ける。次に、視覚障害のある対象者６は本体部５の電源を入れて、音声ガイダンスを聞き易いような衣服のポケット等に入れて常時身に付ける。【０００９】  対象者が赤外線センサー１１の感知範囲３に近づくと、センサー部１が視覚障害のある対象者６の存在を感知する。さらにＣＰＵ回路１４が視覚障害のある対象者６が身につけている本体部５の微小電力無線送受信機１６からデータを送信し微小電力無線４で通信を行い、対象者の存在を認識した上で、センサー部１が設置されている箇所の位置コード設定スイッチ１３を読みとり、位置データとして微小電力無線送受信機１５で送信する。微小電力無線４で送信された位置データは、視覚障害のある対象者６が身につけている本体部５の微小電力無線送受信機１６で受信し、位置コードの判定と音声ガイダンス選択をＣＰＵ回路１７で行い、位置コードに対応する音声内容をディジタル音声データのアナログ変換回路１８でアナログ音声信号にし、音声増幅回路１９でアナログ音声信号を増幅し、スピーカ２０から音として音声ガイダンス出力し、視覚障害のある対象者６に聞こえるようにしている。
【考案の効果】
【００１０】  本考案は上記実施例より明らかなように、視覚障害の対象者向けに公共施設等では、誘導チャイム等が使用されているが、これら既存の音声ガイダンスではチャイム音、または鳥の鳴き声と言った抽象的な音を一定間隔で流す方法であり、流される音で位置を把握するまでに時間がかかり、また事前に音の確認が必要であった。位置情報通知器を使用することで、視覚障害の対象者はセンサーの設置された箇所であれば、位置情報の音声内容を適時、適音量で個人で聞くことが出来る効果を有する。また、既存の誘導チャイム等のような、建物内部の設置場所による音が反響する問題もなくなる効果を有する。
【図面の簡単な説明】
【図１】本考案の実施例の位置情報通知器の概略外観図。
【図２】本考案の実施例の位置情報通知器の構成概略ブロック図。
【符号の説明】
１          センサー部
２          センサー部用電源
３          感知範囲
４          微小電力無線
５          本体部
６          視覚障害の対象者
１１        赤外線センサー
１２        赤外線センサー感知回路
１３        位置コード設定スイッチ
１４        ＣＰＵ回路
１５        微小電力無線送受信機
１６        微小電力無線送受信機
１７        ＣＰＵ回路
１８        ディジタル音声データのアナログ変換回路
１９        音声増幅回路
２０        スピーカ
２１        本体部電源
【図１】
0003106873.tif 000003
【図２】
0003106873.tif 000004